(57)【特許請求の範囲】
【請求項１】
装置に着脱可能に装着され、媒体を収納した媒体カセットと
装置の間で媒体を搬送可能に受け渡す受渡構造において、
前記受渡構造は前記媒体を渡し手側の搬送ガイドと前記媒体を受け手側の二つの搬送ガイドからなり、
前記渡し手側の搬送ガイドが媒体を保持した状態で前記受け手側の搬送ガイドに引き渡し可能なように二つの搬送ガイドがそれぞれ斜めの対向部を有することを特徴とする受渡構造。
【請求項２】
前記対向部は少なくともその先端部にテーパを施されることを特徴とする請求項１記載の受渡構造。
【請求項３】
前記斜めの対向部の端部に切欠部を設けたことを特徴とする請求項１または２記載の受渡構造。
【請求項４】
装置に着脱可能に装着され、媒体を収納した媒体カセットと装置の間で媒体を搬送可能に受け渡す受渡構造において、
受渡構造は装置側搬送ガイドと媒体カセット側搬送ガイドとを対向させて成り、
装置側搬送ガイドと媒体カセット側搬送ガイドはそれぞれ斜めの対向部を有し、該対向部は少なくともその先端部にテーパを施され、
前記斜めの対向部の両側に形成され、一方の搬送ガイドの前記斜めの対向部の先端部側から他方の搬送ガイド方向へ突出する第１の突出部と、他方の搬送ガイドの前記斜めの対向部の先端部側から一方の搬送ガイド方向へ突出する第２の突出部とを有する一対の突出部とを設けたことを特徴とする受渡構造。
【請求項５】
装置に着脱可能に装着され、媒体を収納した媒体カセットと装置の間で媒体を搬送可能に受け渡す受渡構造において、
受渡構造は二つの搬送ガイドを対向させて成り、
前記二つの搬送ガイドはそれぞれ斜めの対向部を有し、
前記斜めの対向部の両側に形成され、一方の搬送ガイドの前記斜めの対向部の先端部側
から他方の搬送ガイド方向へ突出する第１の突出部と、他方の搬送ガイドの前記斜めの対向部の先端部側から一方の搬送ガイド方向へ突出する第２の突出部とを有する一対の突出部とを設けたことを特徴とする受渡構造。
【発明の詳細な説明】
【０００１】
【発明の属する技術分野】
本発明は、現金自動取引装置における着脱可能な紙幣収納カセットと装置の間での紙幣の受渡構造のような、装置に着脱可能に装着され、媒体を収納した媒体カセットと装置の間で媒体を搬送可能に受け渡す受渡構造に関する。
【０００２】
【従来の技術】
従来、現金自動取引装置においては、装置に対して着脱可能な紙幣収納カセットを有しており、装置側と紙幣収納カセット側との間で紙幣の受渡を行うようになっている。例えば入金処理の場合は顧客から入金された紙幣は装置内を搬送されて紙幣収納カセット内へ収納される。出金処理の場合は紙幣収納カセットから紙幣を繰出し、装置内を搬送させて顧客に払い出すようにしている。
【０００３】
装置側と紙幣収納カセット側との紙幣の受渡部分は、装置側搬送ガイドとカセット側搬送ガイドを対向させて構成されている。両側の搬送ガイドの先端部にはリブが形成され、両側のリブが入れ子状に配設されている。リブを入れ子状に配設することにより、紙幣の両方向の受渡を良好にしている。
【０００４】
【発明が解決しようとする課題】
しかしながら上記従来の装置においては、装置側搬送ガイドとカセット側搬送ガイドの間で紙幣を受け渡す際に、とくに紙幣の端部が折れている場合に装置側搬送ガイドとカセット側搬送ガイドの間に紙幣が入り込んでジャムを起こすという問題があった。
【０００５】
また、紙幣収納カセットを装置から取り出すために、受渡部分のリブが入れ子になっている方向に対して直交する方向に紙幣収納カセットを移動させる場合がある。この場合、入れ子を開放するために、装置側搬送ガイドまたはカセット側搬送ガイドを互いに離れる方向に移動させる必要がある。この移動のために従来は専用のエスケープ機構を備えており、そのため紙幣受渡部分の省スペース化が図れなかった。さらに、紙幣収納カセットを装置から取り出す際に操作ミスや不注意によって、入れ子を形成する装置側搬送ガイドまたはカセット側搬送ガイドのリブが破損し、紙幣受渡部分で紙幣詰まりを起こすことがあった。
【０００６】
【課題を解決するための手段】
上記課題を解決するために本発明の第１の解決手段は、装置に着脱可能に装着され、媒体を収納した媒体カセットと装置の間で媒体を搬送可能に受け渡す受渡構造において、受渡構造は装置側搬送ガイドと媒体カセット側搬送ガイドとを対向させて成り、媒体を受け渡される側の搬送ガイドの両端部に切欠部を設けたものである。
【０００７】
本発明の第２の解決手段は、装置側搬送ガイドと媒体カセット側搬送ガイドはそれぞれ斜めの対向部を有し、該対向部は少なくともその先端部にテーパを施すようにする。または、一方の搬送ガイドから他方の搬送ガイド方向へ突出する第１の突出部と、他方の搬送ガイドから一方の搬送ガイド方向へ突出する第２の突出部とを有する一対の突出部を、装置側搬送ガイドまたは媒体カセット側搬送ガイドが媒体の搬送方向に直交する方向に移動可能に設けるようにし、さらに、これら一対の突出部を前記斜めの対向部の両側に形成するようにする。さらに、前記斜めの対向部の両側または前記一対の突出部の両側に切欠部を設けるようにする。
【０００８】
【発明の実施の形態】
以下、本発明の実施の形態を図面にしたがって説明する。図１は実施の形態の受渡構造を示す斜視図、図２は現金自動取引装置を示す内部構造図である。まず図２により現金自動取引装置について説明する。
【０００９】
図２において、現金自動取引装置１には紙幣収納カセット２、３が設けられている。紙幣収納カセット２、３内には紙幣４が収納され、上部にはそれぞれ繰出集積部５、６、７が設けられている。現金自動取引装置１内には紙幣を搬送する紙幣搬送路８が形成されており、装置内の各部間で紙幣を搬送できるようになっている。紙幣搬送路８と各繰出集積部５、６、７の間に、それぞれ受渡部９、１０、１１が形成される。
【００１０】
図１において、搬送ガイド１２は装置１本体側の紙幣搬送路８に接続している装置側搬送ガイドであり、搬送ガイド１３は紙幣収納カセット２、３に接続しているカセット側搬送ガイドである。両搬送ガイド１２、１３にはそれぞれフィードローラ１４が回転可能に取付けられている。紙幣受渡部は、搬送ガイド１２、１３とそれぞれ左右対称の形状の搬送ガイドが搬送ガイド１２、１３の上方に配設されることにより構成される。
【００１１】
装置側搬送ガイド１２およびカセット側搬送ガイド１３の互いに対向する中央部１５、１６は紙幣の搬送方向（矢印ＣまたはＤ方向）に対して斜めに形成されており、中央部１５、１６にはそれぞれテーパ部１５ａ、１６ａが形成されている。装置側搬送ガイド１２の中央部１５の右側、即ち、斜めに形成されている中央部１５の先端部側には突出部１７が形成され、カセット側搬送ガイド１３の右側に形成された段差部１８に入り込んでいる。カセット側搬送ガイド１２の中央部１６の左側、即ち、斜めに形成されている中央部１６の先端部側には突出部１９が形成され、装置側搬送ガイド１２の左側に形成された段差部２０に入り込んでいる。
【００１２】
突出部１７、１９および段差部１８、２０にはそれぞれテーパ部１７ａ、１９ａ、１８ａ、２０ａが形成されている。突出部１７と突出部１９は矢印Ａ−Ｂ方向（紙幣搬送方向に直交する方向）に重複する位置関係にある。即ち、搬送される紙幣が受渡部を通るときには必ず突出部１７と突出部１９のどちらかの上に位置するようになる。
【００１３】
突出部１７および段差部１８の外側には切欠部２１が形成され、反対側の突出部１９および段差部２０の外側には切欠部２２が形成されている。切欠部２１、２２は、端部の角の折れた紙幣が装置側搬送ガイド１２とカセット側搬送ガイド１３の間に入り込もうとするのを防止する。切欠部２１、２２はそれぞれ装置側搬送ガイド１２とカセット側搬送ガイド１３の対向部両端部を切り欠くことにより形成されているが、これは紙幣を双方向に搬送するからであって、紙幣を一方向にのみ搬送する場合には紙幣を受け渡される側の搬送ガイドの対向部両端部を切り欠くことにより形成してもよい。
【００１４】
切欠部２１を構成する搬送ガイド１２、１３の側端部にはそれぞれテーパ部２３、２４が形成されている。テーパ部２３、２４は紙幣の搬送方向に対して斜めに形成されており、そのため搬送される紙幣の側端部に折れがある場合でもスムーズに相手側の搬送ガイドに乗り上げられるようになっている。同様に切欠部２２を構成する搬送ガイド１２、１３の側端部にはそれぞれテーパ部２５、２６が紙幣の搬送方向に対して斜めに形成されており、側端部に折れがある紙幣でもスムーズに相手側の搬送ガイドに乗り上げられる。
【００１５】
装置側搬送ガイド１２とカセット側搬送ガイド１３のそれぞれの対向部の形状は同形状で、対向した状態では点対称になっている。このために紙幣を矢印Ｃ方向およびＤ方向の双方向に搬送可能とする。
【００１６】
中央部１５、１６および突出部１７、１８は、紙幣を搬送する際に、装置側搬送ガイド１２とカセット側搬送ガイド１３の間に入り込もうとする紙幣の先端部を紙幣搬送面（両搬送ガイド１２、１３の上面）へ持ち上げる作用をする。例えば紙幣がカセット側搬送ガイド１３から装置側搬送ガイド１２へ受け渡される場合、紙幣の先端部がまだカセット側搬送ガイド１３の上にある間に装置側搬送ガイド１２の突出部１７上に乗り、突出部１７は紙幣を保持する。紙幣の先端部は突出部１７から中央部１５へ進み、やがて全面的に装置側搬送ガイド１２上に乗る。ここで紙幣の中央に縦の折れ癖がついていた場合、その折れ目は中央部１５のテーパ部１５ａに当たるが、中央部１５は斜めに形成されているために、紙幣はスムーズに装置側搬送ガイド１２上に乗る。
【００１７】
カセット側搬送ガイド１３を有する紙幣収納カセット２または３は、矢印Ａ方向に引き出される。カセット側搬送ガイド１３は、矢印Ａ方向に移動される場合は何にも干渉することなくそのまま移動できる。
【００１８】
他の実施の形態として、例えば装置側搬送ガイド１２とカセット側搬送ガイド１３の対向部を全幅に渡って斜めに形成するようにしてもよい。この場合、斜めに先端部には紙幣が乗り上げられるようにテーパを形成するようにする。両搬送ガイド１２、１３の対向部を斜めにすることにより、渡し手側の搬送ガイドで紙幣を保持した状態で受け手側の搬送ガイドに引き渡すことができる。この場合も装置側搬送ガイド１２またはカセット側搬送ガイド１３の対向部両端部に切欠部を設けるようにしてもよい。
【００１９】
また上記実施の形態のように両搬送ガイド１２、１３の対向部に突出部１７、１９を設ける場合には、その間の中央部は必ずしも斜めに形成しなくてもよい。これは突出部１７、１９で搬送されてきる紙幣の先端部を十分保持できるからである。この場合も装置側搬送ガイド１２またはカセット側搬送ガイド１３の対向部両端部に切欠部を設けるようにしてもよい。
【００２０】
上記実施の形態では紙幣収納カセットを有する現金自動取引装置を例にして説明したが、この他にも例えば、帳票を処理する装置で、帳票を収納するカセットとの間で帳票を受け渡す処理を行う装置にも本発明は適用可能である。
【００２１】
【発明の効果】
以上説明したように本発明によれば、媒体を受け渡される側の搬送ガイドの両端部に切欠部を設けたことにより、媒体の端部に折れがある場合でも媒体をスムーズに受け渡すことができる。
【００２２】
また本発明によれば、装置側搬送ガイドと媒体カセット側搬送ガイドのそれぞれの対向部を斜めの形状にするか、またはそれぞれに突出部を装置側搬送ガイドまたは媒体カセット側搬送ガイドが媒体の搬送方向に直交する方向に移動可能に設けたので、媒体の搬送方向に直交する方向で媒体カセット側搬送ガイドの突出部がある側に媒体カセットを移動させることにより、何にも干渉することなく媒体カセットの取り外しが可能である。その結果、入れ子を開放する機構が不要となり、省スペース化を図ることができるとともに、入れ子のリブを破損することが無くなる。
【図面の簡単な説明】
【図１】実施の形態の受渡構造を示す斜視図である。
【図２】現金自動取引装置を示す内部構造図である。
【符号の説明】
１  現金自動取引装置
２、３  紙幣収納カセット
１２  装置側搬送ガイド
１３  カセット側搬送ガイド
１５、１６  中央部
１７、１９  突出部
２１、２２  切欠部
【図１】
0003793672.tif 000002
【図２】
0003793672.tif 000003